(57)【要約】【解決手段】底部１と底部にヒンジ連結された長側壁２と同じく底部にヒンジ連結された短側壁３とを有するとともに、長側壁及び短側壁を、底部に重なるように倒すことにより折り畳むことが可能な折り畳みコンテナーにおいて、相対する長側壁にそれぞれ配設された傾倒抑制部材Ｓに、複数の挿入ロッド部ｓ５を形成するとともに、前記複数の挿入ロッド部に対応して、底部及び長側壁に、それぞれ、複数の透孔１ａ２、２ｆ１を穿設し、折り畳みコンテナーが箱型に組み立てられた際に、前記傾倒抑制部材の挿入ロッド部を、前記透孔に挿入するように構成したものである。【効果】箱型に組み立てられた折り畳みコンテナーの長側壁に、外側から負荷が加わっても、長側壁が内側に傾倒したり湾曲するようなことを抑制することができる。【選択図】図５
2005041518.tif 000002
【特許請求の範囲】
【請求項１】
底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、相対する長側壁にそれぞれ配設された傾倒抑制部材に、複数の挿入ロッド部を形成するとともに、前記複数の挿入ロッド部に対応して、底部及び長側壁に、それぞれ、複数の透孔を穿設し、折り畳みコンテナーが箱型に組み立てられた際に、前記傾倒抑制部材の挿入ロッド部を、前記透孔に挿入するように構成したことを特徴とする折り畳みコンテナー。
【請求項２】
箱型に組み立てられた折り畳みコンテナーの内側から、傾倒抑制部材が操作可能なように、長側壁に、操作用透孔を穿設したことを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られている。このような折り畳みコンテナーは、一例として、特許文献１に開示されている。
【０００３】
【特許文献１】
特開２００２−５３１３０号公報
【０００４】
【発明が解決しようとする課題】
上述した従来の折り畳みコンテナーにおいては、長側壁が、強度や剛性の点から弱く、変形し易いという問題があった。特に、折り畳みコンテナーの大型化に伴い、長側壁の横幅が、１メートルを越えるものや、２メートル近くにもなると、長側壁の変形が顕著となり、箱型に組み立てられた長側壁を持って運搬することが困難となる。
【０００５】
箱型に組み立てられた折り畳みコンテナーを運搬する際には、通常、作業者は、一方の長側壁側に位置し、両手で、それぞれ、相対する短側壁の中央上部に形成されている把持部を持って、箱型に組み立てられた折り畳みコンテナーを運搬するが、短側壁の横幅は短いので、短側壁が内側に大きく傾倒したり湾曲するようなことはなく、従って、折り畳みコンテナーに収納されている物品が損傷するようなことはない。しかしながら、長側壁の横幅が、１メートルを越えるものや、２メートル近くにもなると、相対する短側壁の中央上部に形成されている把持部を持って、箱型に組み立てられた折り畳みコンテナーを運搬することが難しくなり、作業者は、一方の長側壁側に位置した後、両手で、それぞれ相対する長側壁の適当な把持部を持って、箱型に組み立てられた折り畳みコンテナーを運搬することが、通常、行われている。このように、相対する長側壁に形成されている把持部を持って、箱型に組み立てられた折り畳みコンテナーを運搬すると、長側壁が内側に大きく傾倒したり湾曲することになり、従って、折り畳みコンテナーに収納されている物品が損傷したり、長側壁が損傷するという問題があった。
【０００６】
本発明の目的は、上述した従来の折り畳みコンテナーが有する課題を解決することにある。
【０００７】
【課題を解決するための手段】
本発明は、上述した目的を達成するために、底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、第１には、相対する長側壁にそれぞれ配設された傾倒抑制部材に、複数の挿入ロッド部を形成するとともに、前記複数の挿入ロッド部に対応して、底部及び長側壁に、それぞれ、複数の透孔を穿設し、折り畳みコンテナーが箱型に組み立てられた際に、前記傾倒抑制部材の挿入ロッド部を、前記透孔に挿入するように構成したものであり、第２には、箱型に組み立てられた折り畳みコンテナーの内側から、傾倒抑制部材が操作可能なように、長側壁に、操作用透孔を穿設したものである。
【０００８】
【実施例】
以下に、本発明の実施例について説明するが、本発明の趣旨を越えない限り何ら、本実施例に限定されるものでない。
【０００９】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１０】
長側壁２は、横長の略長方形状の板状部２ａを有しており、長側壁２の両垂直端には、板状部２ａに略垂直で、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１１】
長側壁２の板状部２ａの上部両端角部付近には、それぞれ、略コの字状のスリット２ｃが形成されており、略コの字状のスリット２ｃを形成することにより、スリット２ｃで囲まれた部分が、水平方向に延在する片持ち状の係止弾性片２ｄが形成されている。係止弾性片２ｄの内面側の先端には、係止突部２ｄ１が突設されており、係止突部２ｄ１の係合枠２ｂ側は、係合枠２ｂの内面側の面と略平行な垂直面に形成されている。
【００１２】
長側壁２の板状部２ａの上下端には、板状部２ａに略垂直で、且つ、外側に延在する上端水平リブ２ｅ及び下端水平リブ２ｆが形成されており、また、板状部２ａの外面（折り畳みコンテナーを箱型に組み立てた際に、外側に位置する面）には、適当数の垂直リブ２ｇや水平リブ２ｈが形成されている。
【００１３】
短側壁３は、横長の略長方形状の板状部３ａを有しており、板状部３ａの上下端には、板状部３ａに略垂直で、且つ、外側に延在する上端水平リブ３ｂ及び下端水平リブ３ｃが、それぞれ形成されており、また、板状部３ａの左右端には、板状部３ａに略垂直で、且つ、外側に延在する端部垂直リブ３ｄが、それぞれ形成されている。端部垂直リブ３ｄの外側には、縦長の延長枠３ｅが形成されており、延長枠３ｅには、端部垂直リブ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）には、適当数の垂直リブ３ｆや水平リブ３ｇが形成されている。
【００１４】
折り畳みコンテナーを、図３に示されている折り畳まれた状態から、図１に示されている箱型に組み立てるには、先ず最初に、略水平状態の長側壁２を、垂直方向に回動させて、図２に示されているように、略垂直に立てる。次いで、底部１に重なるようにして折り畳まれている短側壁３を、略水平状態から垂直方向に回動させると、短側壁３の延長枠３ｅが、長側壁２に形成された係合枠２ｂに対向するように接近し、更に、短側壁３を、垂直方向に回動させると、短側壁３の延長枠３ｅの端部垂直面が、長側壁２の内面から突出している係止弾性片２ｄの係止突部２ｄ１を押して、係止弾性片２ｄを、外側方向に、係止弾性片２ｄの弾性に抗して、湾曲させる。更に、短側壁３を、垂直方向に回動させると、短側壁３の延長枠３ｅに突設された嵌合突部３ｅ１が、長側壁２の係合枠２ｂに形成された嵌合孔２ｂ１に挿入される。この短側壁３の延長枠３ｅに突設された嵌合突部３ｅ１が、長側壁２の係合枠２ｂに形成された嵌合孔２ｂ１に挿入される過程において、短側壁３の延長枠３ｅの端部垂直面から、長側壁２に形成された係止弾性片２ｄの係止突部２ｄ１が外れて、係止弾性片２ｄが、その弾性により元の位置に戻り、係止弾性片２ｄの係止突部２ｄ１が、短側壁３の延長枠３ｅに当接或いは接近して位置する。従って、短側壁３が、底部１方向に回動しようとしても、短側壁３の延長枠３ｅが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００１５】
箱型に組み立てられた折り畳みコンテナーを折り畳む際には、長側壁２に形成された係止弾性片２ｄの係止突部２ｄ１を、短側壁３の延長枠３ｅから外れる方向に、即ち、外側方向に押して、長側壁２の係止弾性片２ｄを、その弾性に抗して湾曲させる。長側壁２に形成された係止弾性片２ｄの係止突部２ｄ１が、短側壁３の延長枠３ｅから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００１６】
Ｓは、相対する長側壁２の板状部２ａの外面（折り畳みコンテナーを箱型に組み立てた際に、外側に位置する面）に配設された傾倒抑制部材であり、傾倒抑制部材Ｓは、横長の長方形に形成された背板部ｓ１と、背板部ｓ１の上辺から水平方向に延在する上部水平帯状板部ｓ２と、背板部ｓ１の下辺から水平方向に延在する下部水平帯状板部ｓ３と、上部水平帯状板部ｓ２の両端と下部水平帯状板部ｓ３の両端とを連結する端部垂直連結板部ｓ４とを有している。
【００１７】
下部水平帯状板部ｓ３の両端付近の下面からは、下部水平帯状板部ｓ３に略垂直な挿入ロッド部ｓ５が垂設されている。本実施例においては、挿入ロッド部ｓ５は、一例として、互いに平行に配置された３枚の垂直帯板部ｓ５ａと、垂直帯状板部ｓ５ａの一方の端部を連結する垂直連結帯状板部ｓ５ｂとにより構成されている。なお、垂直挿入ロッド部ｓ５を、角柱や円柱や角筒や円筒等の柱体により構成することもできる。
【００１８】
上部水平帯状板部ｓ２の上面中央部には、相対する垂直板部ｓ６ａが立設されており、垂直板部ｓ６ａの上端は、上部水平帯状板部ｓ２と平行な水平板部ｓ６ｂにより連結されている。また、相対する垂直板部ｓ６ａと水平板部ｓ６ｂと上部水平帯状板部ｓ２とにより形成される背板部ｓ１側の開口部は、奥板部ｓ６ｃにより閉鎖されている。そして、相対する垂直板部ｓ６ａと水平板部ｓ６ｂと上部水平帯状板部ｓ２と奥板部ｓ６ｃとにより、作業者の手の指が挿入可能な凹部を有する外側開口把手部ｓ６が形成されている。
【００１９】
また、上部水平帯状板部ｓ２と下部水平帯状板部ｓ３との中央部付近には、上部水平帯状板部ｓ２と下部水平帯状板部ｓ３とを連結する相対する垂直板部ｓ７ａが形成されており、上部水平帯状板部ｓ２と下部水平帯状板部ｓ３と相対する垂直板部ｓ７ａとにより形成される開口部は、前板部ｓ７ｂにより閉鎖されているとともに、上部水平帯状板部ｓ２と下部水平帯状板部ｓ３と相対する垂直板部ｓ７ａとにより形成される領域が位置する背板部ｓ１を削除するとにより、開口部が形成されている。そして、上部水平帯状板部ｓ２と下部水平帯状板部ｓ３と相対する垂直板部ｓ７ａとにより、作業者の手の指が挿入可能な凹部を有する内側開口把手部ｓ７が、上部水平帯状板部ｓ２を介して、上述した外側開口把手部ｓ６の下部に形成されている。
【００２０】
更に、背板部ｓ１を、端部垂直連結板部ｓ４を越えて外側に延在することにより、垂直なスライド突部ｓ８が形成されている。
【００２１】
長側壁２の板状部２ａの外面（折り畳みコンテナーを箱型に組み立てた際に、外側に位置する面）の中央部には、上端水平リブ２ｅと下端水平リブ２ｆとを連結する一対の垂直ガイドリブ２ｉが、所定の間隔を置いて形成されている。また、垂直ガイドリブ２ｉの相対する面には、垂直な規制レール２ｊが、それぞれ突設されており、規制レール２ｊと板状部２ａとの間には、上述した傾倒抑制部材Ｓを構成するスライド突部ｓ８が挿入可能な間隙が形成されている。
【００２２】
長側壁２に形成された相対する垂直ガイドリブ２ｉ間に位置する下端水平リブ２ｆには、上述した一対の挿入ロッド部ｓ５が挿入可能な一対の透孔２ｆ１が穿設されており、また、折り畳みコンテナーを箱型に組み立てた際に、上記の一対の透孔２ｆ１の真下に位置する底部１の長辺側土手部１ａの水平部１ａ１には、上述した一対の挿入ロッド部ｓ５が挿入可能な一対の透孔１ａ２が穿設されている。なお、２ｋは、必要に応じて、長側壁２に形成された相対する垂直ガイドリブ２ｉ間に位置する下端水平リブ２ｆに形成された逆Ｕ字状の補強部材であり、補強部材２ｋには、傾倒抑制部材Ｓの下部水平帯状板部ｓ３が載置されるように構成されている。
【００２３】
そして、傾倒抑制部材Ｓは、傾倒抑制部材Ｓのスライド突部ｓ８を、長側壁２に形成された相対する垂直ガイドリブ２ｉの相対する面に突設された垂直な規制レール２ｊと板状部２ａとの間に形成された間隙に挿入することにより、長側壁２に形成された相対する垂直ガイドリブ２ｉ間に配設されるように構成されている。
【００２４】
折り畳みコンテナーを箱型に組み立てた際には、図５及び図６に示されているように、傾倒抑制部材Ｓの一対の挿入ロッド部ｓ５が、長側壁２の下端水平リブ２ｆに穿設された透孔２ｆ１及び底部１の長辺側土手部１ａの水平部１ａ１に穿設された透孔１ａ２に挿入されるとともに、挿入ロッド部ｓ５の半分程度、或いは、それ以上が、底部１の長辺側土手部１ａ内に位置するように構成されている。本実施例においては、長手方向に対して垂直な断面形状が、水平部１ａ１と内壁１ａ３と外壁１ａ４とから略逆Ｕ字状に形成されている底部１の長辺側土手部１ａ内に、傾倒抑制部材Ｓの挿入ロッド部ｓ５が位置するように構成されている。
【００２５】
上述したように、折り畳みコンテナーを箱型に組み立てた際には、傾倒抑制部材Ｓの挿入ロッド部ｓ５が、長側壁２の下端水平リブ２ｆに穿設された透孔２ｆ１及び底部１の長辺側土手部１ａの水平部１ａ１に穿設された透孔１ａ２に挿入されるように構成されているので、箱型に組み立てられた折り畳みコンテナーの長側壁２に、外側から内側方向に負荷が加わった際に、長側壁２が内側に傾倒したり湾曲するようなことを抑制することができる。
【００２６】
箱型に組み立てられた折り畳みコンテナーの折り畳み作業の際には、先ず最初に、上述したようにして、一対の相対する短側壁３を底部１に重なるように倒す。その後、傾倒抑制部材Ｓの外側開口把手部ｓ５の凹部に、箱型に組み立てられた折り畳みコンテナーの外側から手を入れて、傾倒抑制部材Ｓの水平板部ｓ６ｂの下面に手を当て、傾倒抑制部材Ｓを上方に移動させて、図７及び図８に示されているように、傾倒抑制部材Ｓの挿入ロッド部ｓ５を、底部１の長辺側土手部１ａの水平部１ａ１に穿設された透孔１ａ２及び長側壁２の下端水平リブ２ｆに穿設された透孔２ｆ１から排出する。この状態で、長側壁２を、底部１方向に倒すことにより、箱型に組み立てられた折り畳みコンテナーを、折り畳む。
【００２７】
また、折り畳みコンテナーを箱型に組み立てる際には、倒された状態の短側壁３を略垂直に立て、次いで、倒された状態の長側壁２を略垂直に立てた後、傾倒抑制部材Ｓの外側開口把手部ｓ６の凹部に、外側から手を入れて、上部水平帯状板部ｓ２の上面に手を当て、傾倒抑制部材Ｓを下方に移動させて、傾倒抑制部材Ｓの挿入ロッド部ｓ５を、底部１の長辺側土手部１ａの水平部１ａ１に穿設された透孔１ａ２及び長側壁２の下端水平リブ２ｆに穿設された透孔２ｆ１に挿入する。このようにして、図３に示されているような折り畳まれた状態の折り畳みコンテナーを、図１に示されているような箱型に組み立てる。
【００２８】
相対する垂直ガイドリブ２ｉ間に位置する長側壁２の板状部２ａには、縦長の長方形状の操作用透孔２ｍが穿設されている。操作用透孔２ｍは、折り畳みコンテナーが箱型に組み立てられ、傾倒抑制部材Ｓの挿入ロッド部ｓ５が、底部１の長辺側土手部１ａの水平部１ａ１に穿設された透孔１ａ２及び長側壁２の下端水平リブ２ｆに穿設された透孔２ｆ１に挿入された下限点において、操作用透孔２ｍの下端２ｍ１が、傾倒抑制部材Ｓの下部水平帯状板部ｓ３の下面と略一致するように構成されている。このように構成することにより、傾倒抑制部材Ｓの挿入ロッド部ｓ５が、底部１の長辺側土手部１ａの水平部１ａ１に穿設された透孔１ａ２及び長側壁２の下端水平リブ２ｆに穿設された透孔２ｆ１に挿入された下限点において、長側壁２の板状部２ａに穿設された操作用透孔２ｍが、傾倒抑制部材Ｓの外側開口把手部ｓ６を構成する奥板部ｓ６ｃと、内側開口把手部ｓ７を構成する前板部ｓ７ｂにより、閉鎖されるので、箱型に組み立てられた折り畳みコンテナーに収容された物品が、外側から見えることを防止することができるとともに、物品が、操作用透孔２ｍから落ちこぼれるようなことを防止することができる。
【００２９】
箱型に組み立てられた折り畳みコンテナーを、折り畳む際には、先ず最初に、上述したようにして、一対の相対する短側壁３を底部１に重なるように倒す。その後、箱型に組み立てられた折り畳みコンテナーの内部から、長側壁２の板状部２ａに穿設された操作用透孔２ｍを通して、内側開口把手部ｓ７の凹部に手を入れて、上部水平帯状板部ｓ２の下面に手を当て、傾倒抑制部材Ｓを上方に移動させて、傾倒抑制部材Ｓの挿入ロッド部ｓ５を、底部１の長辺側土手部１ａの水平部１ａ１に穿設された透孔１ａ２及び長側壁２の下端水平リブ２ｆに穿設された透孔２ｆ１から排出する。この状態で、長側壁２を、底部１方向に倒すことにより、箱型に組み立てられた折り畳みコンテナーを、折り畳む。
【００３０】
また、折り畳まれた折り畳みコンテナーを、箱型に組み立てる際には、倒された状態の短側壁３を、略垂直立て、その後、倒された状態の長側壁２を、略垂直に立てた後に、箱型に組み立てられた折り畳みコンテナーの内部から、長側壁２の板状部２ａに穿設された操作用透孔２ｍを通して、内側開口把手部ｓ７の凹部に手を入れて、下部水平帯状板部ｓ３の上面に手を当て、傾倒抑制部材Ｓを下方に移動させて、傾倒抑制部材Ｓの挿入ロッド部ｓ５を、底部１の長辺側土手部１ａの水平部１ａ１に穿設された透孔１ａ２及び長側壁２の下端水平リブ２ｆに穿設された透孔２ｆ１に挿入する。このようにして、図３に示されているような折り畳まれた状態の折り畳みコンテナーを、図１に示されているような箱型に組み立てる。
【００３１】
なお、上述した実施例には、相対する垂直ガイドリブ２ｉ間に位置する長側壁２の板状部２ａに、縦長の長方形状の操作用透孔２ｍが２個穿設されている例が示されているが、手が挿入できるものであれば、１個でもよい。
【００３２】
更に、上述した実施例には、傾倒抑制部材Ｓに、一対、換言すれば、２個の挿入ロッド部ｓ５が配設されている例が示されているが、３個以上、配設することもできる。この場合には、当然のことながら、底部１の長辺側土手部１ａの水平部１ａ１及び長側壁２の下端水平リブ２ｆには、３個以上配設された挿入ロッド部ｓ５に対応して、それぞれ、３個以上の透孔１ａ２及び透孔２ｆ１が穿設されることになる。
【００３３】
上述したように、相対する長側壁２にそれぞれ配設された傾倒抑制部材Ｓに複数の挿入ロッド部ｓ５を形成するとともに、複数の挿入ロッド部ｓ５に対応して、底部１の長辺側土手部１ａの水平部１ａ１及び長側壁２の下端水平リブ２ｆに、それぞれ、複数の透孔１ａ２及び透孔２ｆ１を穿設し、折り畳みコンテナーが箱型に組み立てられた際に、傾倒抑制部材Ｓの挿入ロッド部ｓ５を、底部１の長辺側土手部１ａの水平部１ａ１に穿設された透孔１ａ２及び長側壁２の下端水平リブ２ｆに穿設された透孔２ｆ１に挿入するように構成したので、箱型に組み立てられた折り畳みコンテナーの長側壁２に、外側から負荷が加わっても、長側壁２が内側に傾倒したり湾曲するようなことを抑制することができる。
【００３４】
特に、長側壁２の横幅が、１メートルを越える等、長い（広い）場合には、相対する長側壁２に配設された傾倒抑制部材Ｓに、複数の挿入ロッド部ｓ５を形成するとともに、複数の挿入ロッド部ｓ５に対応して、底部１の長辺側土手部１ａの水平部１ａ１に複数の透孔１ａ２及び長側壁２の下端水平リブ２ｆに複数の透孔２ｆ１を穿設し、複数の挿入ロッド部ｓ５を、上記複数の透孔１ａ２、２ｆ１に挿入することにより、箱型に組み立てられた折り畳みコンテナーの長側壁２のどの個所において、外側から負荷が加わっても、長側壁２が内側に傾倒したり湾曲するようなことを抑制することができる。
【００３５】
また、長側壁２の板状部２ａに、操作用透孔２ｍを穿設し、箱型に組み立てられた折り畳みコンテナーの内側から、内側開口把手部ｓ７の凹部に手を入れて、傾倒抑制部材Ｓを操作できるように構成したので、傾倒抑制部材Ｓの操作性が向上する。特に、作業者が、一方の長側壁２側に位置した後、両手で、相対する長側壁２に配設された傾倒抑制部材Ｓを操作する場合に、傾倒抑制部材Ｓを、箱型に組み立てられた折り畳みコンテナーの長側壁２の外側からのみ操作しようとすると、作業者から遠い方に位置する長側壁２に配設された傾倒抑制部材Ｓに簡単に手が届かなかったり、また、傾倒抑制部材Ｓの外側開口把手部ｓ６の位置の目視ができないために、外側開口把手部ｓ６の位置の確認に時間がかかる等、傾倒抑制部材Ｓの操作性が悪いことになるが、長側壁２の板状部２ａに、操作用透孔２ｍを穿設し、箱型に組み立てられた折り畳みコンテナーの内側から、傾倒抑制部材Ｓを操作できるように構成したので、作業者は、作業者に近い方の長側壁２に配設された傾倒抑制部材Ｓについては、外側開口把手部ｓ６により傾倒抑制部材Ｓを操作し、また、作業者から遠い方の長側壁２に配設された傾倒抑制部材Ｓについては、箱型に組み立てられた折り畳みコンテナーの内側から、内側開口把手部ｓ７により傾倒抑制部材Ｓを操作できるので、傾倒抑制部材Ｓの操作性が向上することになる。また、長側壁２の板状部２ａに穿設された操作用透孔２ｍを通して、内側開口把手部ｓ７の位置が目視できるので、傾倒抑制部材Ｓの操作性が更に向上することになる。
【００３６】
【発明の効果】
本発明は、以上説明した構成を有しているので、以下に記載する効果を奏するものである。
【００３７】
相対する長側壁にそれぞれ配設された傾倒抑制部材に、複数の挿入ロッド部を形成するとともに、前記複数の挿入ロッド部に対応して、底部及び長側壁に、それぞれ、複数の透孔を穿設し、折り畳みコンテナーが箱型に組み立てられた際には、前記傾倒抑制部材の挿入ロッド部を、前記透孔に挿入するように構成したので、箱型に組み立てられた折り畳みコンテナーの長側壁に、外側から負荷が加わっても、長側壁が内側に傾倒したり湾曲するようなことを抑制することができる。
【００３８】
箱型に組み立てられた折り畳みコンテナーの内側から、傾倒抑制部材が操作可能なように、長側壁に、操作用透孔を穿設したので、傾倒抑制部材の操作性が向上する。
【図面の簡単な説明】
【図１】図１は本発明の折り畳みコンテナーが箱型に組み立てられた状態の斜視図である。
【図２】図２は本発明の折り畳みコンテナーの組み立て途中或いは折り畳み途中の斜視図である。
【図３】図３は本発明の折り畳みコンテナーの折り畳まれた状態の斜視図である。
【図４】図４は本発明の折り畳みコンテナーの長側壁に配設される傾倒抑制部材及び長側壁の拡大分解斜視図である。
【図５】図５は傾倒抑制部材が配設された状態の本発明の折り畳みコンテナーの長側壁の正面図である。
【図６】図６は傾倒抑制部材が配設された状態の本発明の折り畳みコンテナーの長側壁の板状部に垂直な側断面図である。
【図７】図７は図５と同様の傾倒抑制部材が配設された状態の本発明の折り畳みコンテナーの長側壁の正面図である。
【図８】図８は図６と同様の傾倒抑制部材が配設された状態の本発明の折り畳みコンテナーの長側壁の板状部に垂直な側断面図である。
【符号の説明】
Ｓ・・・・・・・・・・・・・・・・・・・・傾倒抑制部材
ｓ５・・・・・・・・・・・・・・・・・・・挿入ロッド部
ｓ６・・・・・・・・・・・・・・・・・・・外側開口把手部
ｓ７・・・・・・・・・・・・・・・・・・・内側開口把手部
１・・・・・・・・・・・・・・・・・・・・底部
１ａ・・・・・・・・・・・・・・・・・・・長辺側土手部
１ａ２・・・・・・・・・・・・・・・・・・透孔
２・・・・・・・・・・・・・・・・・・・・長側壁
２ｆ・・・・・・・・・・・・・・・・・・・下端水平リブ
２ｆ１・・・・・・・・・・・・・・・・・・透孔
２ｍ・・・・・・・・・・・・・・・・・・・操作用透孔
３・・・・・・・・・・・・・・・・・・・・短側壁
【図１】
2005041518.tif 000003
【図２】
2005041518.tif 000004
【図３】
2005041518.tif 000005
【図４】
2005041518.tif 000006
【図５】
2005041518.tif 000007
【図６】
2005041518.tif 000008
【図７】
2005041518.tif 000009
【図８】
2005041518.tif 000010